(57)【特許請求の範囲】
【請求項１】
測量機のケーシングに固定されて軸受として作用する円筒状の微動雌ねじと、固定ツマミが固設され前記微動雌ねじ内に配設されて回動および軸方向に進退可能な固定軸と、前記固定軸に回動および進退可能に組付けられかつ前記微動雌ねじに螺合する円筒状の微動雄ねじと、前記固定ツマミを包囲する容器状に形成され前記固定軸に回動および進退可能に組付けられた固定ツマミカバー兼用微動ツマミと、前記微動ツマミと微動雄ねじ間に設けられた係脱手段、とを備え、前記微動ツマミの前記固定軸に沿った進退動作に伴って前記係脱手段が係脱されることに応じて、前記微動ツマミと前記固定軸とが連係状態となると共に前記固定ツマミが前記微動ツマミの外部に露出した状態と、前記微動ツマミと前記固定軸とが非連係状態となると共に前記固定ツマミが前記微動ツマミにより包囲された状態と、に切替わることを特徴とする測量機の微動装置。
【請求項２】
前記係脱手段は、微動ツマミ側の内歯と、この内歯に係合する微動雄ねじ側の外歯により構成されていることを特徴とする請求項１記載の測量機の微動装置。
【請求項３】
前記固定軸に周設された溝と、前記微動ツマミに設けられたボールプランジャとにより、微動ツマミを所定位置に付勢保持する保持手段が構成されていることを特徴とする請求項１，２のいずれか記載の測量機の微動装置。
【発明の詳細な説明】
【０００１】
【発明の属する技術分野】
本発明は測量機の微動装置に係り、特に固定軸と微動軸とが同軸状に配置された測量機の微動装置に関する。
【０００２】
【従来の技術】
測量機の微動装置に関しては、一般に図１で示すように、機体ケーシング１には円筒状の微動雌ねじ２が固定され、この微動雌ねじ２内に固定軸３が配設されている。この固定軸３は、微動雌ねじ２の機体ケーシング１側に配設されたブッシュ１ａに沿って軸方向に進退できる。なお符号４は固定ツマミである。
【０００３】
そして固定軸３には円筒状の微動雄ねじ５が組付けられ、微動雄ねじ５の雄ねじ部５ａは微動雌ねじ２の雌ねじ部２ａに螺合し微動雄ねじ５には微動ツマミ６が固設されている。
【０００４】
固定ツマミ４を回すと実公平３−５１７５８号公報に示すような緊締機構によって回転軸が緊締されて回転軸が固定される。すなわち、実公平３−５１７５８号公報では、本願図４で測量機本体枠内に内設された回転軸５１を回転自在に挿設できるように本体枠Ｂに対して回転自在に固定環５２を設け、回転軸５１を圧接し得るように当金５３を固定環５２の内側に遊嵌する。この当金５３を押圧するための押棒５４を固定環５２に保持させる。
【０００５】
そして回転するスパイラルカム６１のカム面で押棒５４の後端を押圧できるように形成する。そして回転軸５１のほぼラジアル方向に固定環５２からスパイラルカム６１を軸支する。そして固定軸３の後端とスパイラルカム６１とを公知のユニバーサル継手６０によって連結し、固定ツマミを回すことによって当金５３により回転軸５１と固定環５２とを圧接固定する。
【０００６】
そしてこの状態で、微動ツマミ６を回すと微動雄ねじ５が微動雌ねじ２とのねじ螺合部のピッチ速度で進退し、固定軸３も微動雄ねじ５と一体に進退し、回転軸５１に固定一体化されている固定環５２を回転軸５１とともに微少回動させる。
【０００７】
上記回転軸としては、測量機の鉛直軸の他に、例えば望遠鏡の水平支軸があり、望遠鏡を水平支軸回りに回転させて望遠鏡の視野の中にターゲットが入るように合わせ、この位置で固定ねじを使って回転軸（望遠鏡の水平支軸）の回転を固定する。次いで微動ツマミを使って回転軸を微少回動させて、十字線位置にターゲットがくるようにして視準が完了する。
【０００８】
なお、実公昭６２−３１８４３号公報には、「つまみの軸につまみカバーが組付けられておりつまみを使用しないときにはつまみカバーによってつまみが包囲された状態に保持されるのでつまみが誤って回動することがない」という微動装置が知られている。
【０００９】
【発明が解決しようとする課題】
これは固定ねじと微動ねじとが同軸状に組付一体化された構造ではなくこの実公昭６２−３１８４３号公報に開示しているつまみカバーを図１に示す従来技術に適用すると、つまみカバーは微動ツマミと固定ツマミの双方を覆う大きなものとなり、さらに両ツマミが露呈する状態と隠れた状態となるように、つまみカバーの摺動ストロークが大きくなって、微動装置の機体ケーシングからの突出量が非常に大きくなって好ましくない。そして視準終了後測量作業中に誤って微動，固定ツマミ４，６に触れて視準位置が狂ってしまうおそれもある。
【００１０】
本発明の目的は、測量作業中に固定ツマミや微動ツマミを誤って回動させるおそれのない測量機の微動装置を提供することにある。
【００１１】
【課題を解決するための手段】
本願請求項１に係る測量機の微動装置は、測量機のケーシングに固定されて軸受として作用する円筒状の微動雌ねじと、固定ツマミが固設され前記微動雌ねじ内に配設されて回動および軸方向に進退可能な固定軸と、前記固定軸に回動および進退可能に組付けられかつ前記微動雌ねじに螺合する円筒状の微動雄ねじと、前記固定ツマミを包囲する容器状に形成され前記固定軸に回動および進退可能に組付けられた固定ツマミカバー兼用微動ツマミと、前記微動ツマミと微動雄ねじ間に設けられた係脱手段、とを備え、前記微動ツマミの前記固定軸に沿った進退動作に伴って前記係脱手段が係脱されることに応じて、前記微動ツマミと前記固定軸とが連係状態となると共に前記固定ツマミが前記微動ツマミの外部に露出した状態と、前記微動ツマミと前記固定軸とが非連係状態となると共に前記固定ツマミが前記微動ツマミにより包囲された状態と、に切替わることを特徴とする。
【００１２】
また前記係脱手段は、請求項２のように、微動ツマミ側の内歯７ａと、この内歯に係合する微動雄ねじ側の外歯８ａにより構成されている構成とする。
【００１３】
さらに請求項３のように、前記固定軸に周設された溝と、前記微動ツマミに設けられたボールプランジャとにより、微動ツマミを所定位置に付勢保持する保持手段が構成されていると好適である。
【００１４】
【発明の実施の形態】
図２及び図３は本発明に係る測量機の微動装置の実施例を示すものであり、図２は微動ツマミが固定ツマミを覆った状態の部分切り欠き断面を含む説明図、図３は固定ツマミを露呈させ微動ツマミの内歯と微動雄ねじの外歯とを噛合させた状態の部分切り欠き断面を含む説明図である。
【００１５】
本発明の微動装置は、固定ツマミ４を包囲する容器状に形成されて、固定軸３に回動および進退可能に組付けられた固定ツマミカバー兼用微動ツマミ１０と、この微動ツマミ１０と微動雄ねじ５間に設けられた係脱手段Ｋとを備えていることを基本的な構成とする。
【００１６】
つまり、固定ツマミカバー兼用微動ツマミ１０を固定軸３に沿って前進スライドさせると、係脱手段Ｋが係合して微動ツマミ１０と微動雄ねじ５とが連係状態となるとともに固定ツマミ４が露呈する。従ってこの状態では固定ツマミ４の操作による回転軸５１の固定及び微動ツマミ１０操作による回転軸５１の微少回動を行うことができる。
【００１７】
また微動ツマミ１０を固定軸３に沿って後方スライドさせると、係脱手段Ｋの係合が外れて微動ツマミ１０と微動雄ねじ５とが非連係状態となるとともに固定ツマミ４が微動ツマミ（固定ツマミカバー）１０によって隠された状態となる。従ってこの状態では、誤って微動ツマミ１０に触れたとしても微動ツマミ１０は空回りするだけで、微動雄ねじ５に微動ツマミ１０の回動力は一切伝達されない。
【００１８】
そして固定ツマミ４は微動ツマミ（固定ツマミカバー）１０で覆われており固定ツマミ４が回動されることはない。
【００１９】
【実施例】
以下、本発明のより具体的な実施例を図面に基づいて説明する。なお、以下に説明する部材，配置等は本発明を限定するものでなく、本発明の趣旨の範囲内で種々改変することができるものである。
【００２０】
以下の説明例においては、前記図１で示す従来構造と同一部材は図１と同一の符号で示す。
【００２１】
本例第２図において微動装置は、機体ケーシング１に円筒状の微動雌ねじ２が固定され、この微動雌ねじ２内に固定軸３が配設されている。本例の固定軸３は、微動雌ねじ２の機体ケーシング１側に配設されたブッシュ１ａに沿って軸方向に進退できるように構成されている。固定軸３には一端に固定ツマミ４が固設され、所定位置には間隔をおいて、Ｖ溝１２及び１３が周設されている。また固定軸３の先端側は、前記した従来例１図と同様な緊締機構によって回転軸５１が緊締されて回転軸５１が固定される。
【００２２】
そして固定軸３の本体側の外周には円筒状の微動雄ねじ５が組付けられ、微動雄ねじ５の雄ねじ部５ａは、後述する微動雌ねじ２の雌ねじ部２ａに螺合している。
【００２３】
図２及び図３における符号１０は、固定ツマミカバー兼用微動ツマミであり、微動ツマミ１０は、固定ツマミ４を前方（測量機本体側）から少なくとも周囲を包囲できる容器形状に形成され、固定軸３に対して回動及び進退可能に組付けられている。本例の微動ツマミ１０では回転把持部１０ａと、この回転把持部１０ａに連続して覆部１０ｂが形成され、この覆部１０ｂは、微動雌ねじ２の外周を覆って固定軸３の軸方向へ摺動するように構成されている。
【００２４】
本例の係脱手段Ｋは、微動ツマミ１０と微動雄ねじ５にそれぞれ形成された内筒部７，８の歯７ａ，８ａから構成されている。つまり本例の微動ツマミ１０には内筒部７が形成されており、この内筒部７には内歯７ａが形成されている。また微動雄ねじ５にも内筒部８が形成されており、この内筒部８は、上記内筒部７より小径に形成されており、外周には上記内歯７ａと係合可能な外歯８ａが形成されていて噛合するよう構成されている。
【００２５】
そして微動ツマミ１０の固定軸３に沿った進退動作に伴って、内歯７ａと外歯８ａが係脱し、図２に示すような微動ツマミ１０と固定軸３が連係しない態様と、図３に示すような微動ツマミ１０と固定軸３が連係する状態とを択一的にとることができるように構成されている。
【００２６】
上記例では微動ツマミ１０の内筒部７に内歯７ａを形成して、微動雄ねじ５の内筒部８に外歯８ａを形成しているが、各内筒部７，８の径の大きさを逆にして、これらの内歯７ａと外歯８ａとの関係は逆に形成してもよいことは勿論である。
【００２７】
また微動ツマミ１０内にはボールプランジャ９が設けられており、ボールプランジャ９のボール９ａが固定軸３に周設されているＶ溝１２，１３と係合することで、微動ツマミ１０が位置決めされる。またボール９ａがＶ溝１２，１３に係合する際には、微動ツマミ１０をスライドさせる作業者の指にクリック感が得られるので、不必要に微動ツマミ１０をスライドさせることもない。
【００２８】
【発明の効果】
本発明によれば、微動ツマミが固定ツマミを覆った状態では微動ツマミと微動雄ねじとは連係されておらず、微動ツマミに触れても微動ツマミは空回りするにすぎない。また固定ツマミに触れようにも微動ツマミがあるため固定ツマミに触れることはできない。従って誤操作のおそれがない。また微動ツマミを前進させて固定ツマミを露呈させた状態では、固定ツマミ操作も微動ツマミ操作も可能で回転軸を回動及び微少回動させる上で何ら問題はない。特に微動ツマミに固定ツマミカバーとしての機能をもたせたので微動装置の前後長さを大きくすることなく、微動装置の誤操作をなくすことができる。
【図面の簡単な説明】
【図１】従来例を示す部分切り欠き断面を含む説明図である。
【図２】本発明に係る実施例を示すもので微動ツマミが固定ツマミを覆った状態の部分切り欠き断面を含む説明図である。
【図３】本発明に係る実施例を示すもので固定ツマミを露呈させた状態の部分切り欠き断面を含む説明図である。
【図４】回転軸の固定装置の断面説明図である。
【符号の説明】
１  機体ケーシング
１ａ  ブッシュ
２  微動雌ねじ
２ａ  雌ねじ部
３  固定軸
４  固定ツマミ
５  微動雄ねじ
５ａ  雄ねじ部
７，８  内筒部
７ａ  内歯
８ａ  外歯
９  ボールプランジャ
９ａ  ボール
１０  微動ツマミ
１０ａ  回転把持部
１０ｂ  覆部
１２，１３  Ｖ溝
５１  回転軸
Ｋ  係脱手段
Ｓ  微動装置
【図１】
0003675532.tif 000002
【図２】
0003675532.tif 000003
【図３】
0003675532.tif 000004
【図４】
0003675532.tif 000005